(57)【要約】【課題】本発明の目的は、パルス出力部が出力すべきパルス数と実際に出力したパルス数を診断するパルス診断部を設けることで、出力すべきパルス数と実際に出力したパルス数が一致しなかった場合にアラーム等を出力することを可能とする流量計を実現することにある。【解決手段】本発明は、流量センサが、配管を流れる流体の流量を検出し、パルス出力部が、この流量に応じたパルス数を有するパルス信号を生成し、パルス出力端から前記パルス信号を出力する流量計において、前記パルス出力部が出力すべきパルス数と、前記パルス出力部から前記パルス出力端に至る経路に出力されたパルス数との比較を行い、比較の結果に基づいてアラーム信号を出力する特徴とする。【選択図】図１
2011169776.tif 000002
【特許請求の範囲】
【請求項１】
流量センサが、配管を流れる流体の流量を検出し、
パルス出力部が、検出した流量に応じたパルス数を有するパルス信号を生成し、
パルス出力端から前記パルス信号を出力する流量計において、
前記パルス出力部が出力すべきパルス数と、前記パルス出力部から前記パルス出力端に至る経路に出力されたパルス数との比較を行い、比較の結果に基づいてアラーム信号を出力するパルス診断部を有することを特徴とする流量計。
【請求項２】
前記パルス診断部は、パルス計測回路とパルス数比較器を有し、
前記パルス計測回路は、前記パルス出力部から前記パルス出力端に至る経路に取り付けられ、前記パルス出力部が実際に出力したパルス信号を入力してパルス数をカウントし、
前記パルス数比較器は、前記パルス出力部が出力すべきパルス数と、前記パルス計測回路がカウントしたパルス数との比較を行い、比較の結果に基づいてアラーム信号を出力するすることを特徴とする請求項１記載の流量計。
【請求項３】
前記配管に取り付けられ弁の開閉をおこなう開閉バルブと、前記配管からの流体を受け入れる充填容器と、前記パルス出力端から出力されたパルス数に基づいて開閉バルブを制御するとともに前記アラーム信号により規定量の流体が前記充填容器に充填されているか否かを検知する制御部と、を有する充填装置に用いられることを特徴とする請求項１または２記載の流量計。
【請求項４】
前記パルス計測回路は、前記パルス出力部と前記パルス出力端に至る経路に、少なくとも２つ取り付けられることを特徴とする請求項３記載の流量計。
【発明の詳細な説明】
【技術分野】
【０００１】
本発明は、配管を流れる流体の流量を測定する流量計に関し、更に詳しくは、充填装置等に用いられる流量計に関する。
【背景技術】
【０００２】
流体を充填容器に充填する充填装置等に用いられる従来の流量計の構成を、図面を用いて詳細に説明する。図４は、従来の流量計が、充填装置とともに用いられる構成例を示した図である。
【０００３】
図４において、タンク１は水、水溶液等の流体を格納している。流体の流路である配管２は、タンク１と接続されており、タンク１から出力される流体を入力する。
流量計３は配管２と接続されており、流量センサ３１と、流量演算器３２と、パルス出力部３３と、パルス出力端３４とを備える。
流量センサ３１は、配管２に取り付けられ、配管２を流れる流体の流量を検出して、流量信号を出力する。流量演算器３２は、流量センサ３１が出力する流量信号を入力する。
パルス出力部３３は、パルス発生器３３１とパルス遮断回路３３２を備える。
パルス発生器３３１は、予め定められた波形形状のパルスを出力し、また流量演算器３２と接続されている。パルス遮断回路３３２は、流量演算器３２とパルス発生器３３１とに接続されており、流量演算器３２からの出力に基づいて、パルス発生器３３１が出力するパルス信号を、そのまま通過させるか、または遮断する。
制御装置４は、パルス遮断回路３３２から出力されるパルス信号を、流量計３のパルス出力端３４を経由して入力し、パルス信号のパルス数を積算し、この積算値が、定められた値に達しているか否かに基づいて、バルブ制御信号を出力する。
【０００４】
開閉バルブ５は、配管２に取り付けられ、制御装置４が出力するバルブ制御信号に基づいて、自身の開閉をおこなう。
充填容器６は、配管２の出力部に接続されており、開閉バルブ５の開閉によって流体の流入量を制御され、開閉バルブ５を通過する流体を受け入れる。
【０００５】
このような従来の流量計の動作例を、図面を用いて説明する。
図４において、制御装置４が、開閉バルブ５を開けるよう制御信号を出力し、開閉バルブを開く。タンク１は、配管２へ流体の供給を開始し、充填容器６に流体が流入し始める。
流量センサ３１は、配管２を流れる流体の流量を検出して流量信号を出力する。
【０００６】
流量演算器３２は、流量センサ３１が出力する流量信号に基づいて、定められた時間（例えば、１００ｍｓ）ごとに、流量計３が出力すべきパルス数であるパルス数期待値（例えば、６）を算出する。流量演算器３２は、パルス発生器３３１にこのパルス数期待値を出力し、さらに、パルス遮断回路３３２に回路開放信号を出力する。
パルス遮断回路３３２は、流量演算器３２が出力する回路開放信号を受信すると、回路を開放し、パルス発生器３３１から出力されるパルスを通過させる。
パルス発生器３３１は、予め定められたパルス（例えば、周期１００ｕｓ、デューティー比５０％のパルス）を定常的に発生しており、流量演算器３２が出力するパルス数期待値を入力すると、この入力時点からパルス数期待値数分（例えば６個）のパルスを出力したタイミングで、パルス送出済信号を出力する。
この様子を図５に示す。図５は、パルス発生器３３１が周期１００ｕｓ、デューティー比５０％のパルスを出力し続け、パルス遮断回路３３２が、パルス数期待値に基づいて、１００ｍｓの間で、６個のパルスを通過させた例を示している。
【０００７】
流量演算器３２は、パルス発生器３３１が出力するパルス送出済信号を受信すると、パルス遮断回路３３２に回路遮断信号を出力する。
パルス遮断回路３３２は、流量演算器３２が出力する回路遮断信号を受信すると、回路を遮断し、パルス発生器３３１から出力されるパルス信号の出力を停止する。
流量演算器３２、パルス発生器３３１、パルス遮断回路３３２は、このような一連の動作を定められた時間ごと（図５の例では、１００ｍｓごと）に繰り返す。
【０００８】
制御装置４は、パルス遮断回路３３２からパルス出力端３４を介して出力されるパルス信号のパルス数を計測し、このパルス数の積算値が定められた値に達しているか否かによって、達していなければ開閉バルブ５を開く制御信号を、達していれば閉める制御信号を出力する。
制御装置４によって開閉バルブ５を閉めることで、充填容器６への流体の流入が停止し、流体の充填が終了する。
【０００９】
特許文献１には、このような流量計を用いた充填装置の例が記述されており、配管にとりつけられた流量計が、流体の流量に応じたパルスを出力し、制御装置がそのパルス数に基づいて配管を流れる流体の流量を計測し、あらかじめ定められた分量の流体が通過した時に配管に取り付けられたバルブを閉めることで充填容器に充填する構成が記載されている。
【先行技術文献】
【特許文献】
【００１０】
【特許文献１】特開２００２−１８１６０８号公報
【発明の概要】
【発明が解決しようとする課題】
【００１１】
パルス出力部３３を構成するパルス発生器３３１やパルス遮断回路３３２において、またはパルス遮断回路３３２からパルス出力端３４に至る経路において故障やノイズが生じた場合、流量計３が出力すべきパルス数と、実際に出力したパルス数が一致しない可能性がある。
しかしながら、従来の流量計では、パルス出力部３３から出力されたパルス信号のパルス数の確認は行っておらず、このような流量計を実装した充填装置においては、充填容器に誤った量の流体を充填した場合にもそれが見過ごされる可能性があった。
【００１２】
そこで本発明の目的は、パルス出力部が出力すべきパルス数と、実際に出力したパルス数を診断するパルス診断部を設け、出力すべきパルス数と実際に出力したパルス数が一致しなかった場合にアラーム等を出力することで、流量計測結果の信頼性を高めた流量計を実現することにある。
【課題を解決するための手段】
【００１３】
このような課題を解決するために、本発明のうち請求項１記載の発明は、
流量センサが、配管を流れる流体の流量を検出し、
パルス出力部が、検出した流量に応じたパルス数を有するパルス信号を生成し、
パルス出力端から前記パルス信号を出力する流量計において、
前記パルス出力部が出力すべきパルス数と、前記パルス出力部から前記パルス出力端に至る経路に出力されたパルス数との比較を行い、比較の結果に基づいてアラーム信号を出力するパルス診断部を有することを特徴とする。
【００１４】
請求項２記載の発明は、請求項１記載の発明であって、
前記パルス診断部は、パルス計測回路とパルス数比較器を有し、
前記パルス計測回路は、前記パルス出力部から前記パルス出力端に至る経路に取り付けられ、前記パルス出力部が実際に出力したパルス信号を入力してパルス数をカウントし、
前記パルス数比較器は、前記パルス出力部が出力すべきパルス数と、前記パルス計測回路がカウントしたパルス数との比較を行い、比較の結果に基づいてアラーム信号を出力するすることを特徴とする。
【００１５】
請求項３記載の発明は、請求項１または２記載の発明であって、
前記配管に取り付けられ弁の開閉をおこなう開閉バルブと、前記配管からの流体を受け入れる充填容器と、前記パルス出力端から出力されたパルス数に基づいて開閉バルブを制御するとともに前記アラーム信号により規定量の流体が前記充填容器に充填されているか否かを検知する制御装置と、を有する充填装置に用いられることを特徴とする。
【００１６】
請求項４記載の発明は、請求項３記載の発明であって、
前記パルス計測回路は、前記パルス出力部と前記パルス出力端に至る経路に、少なくとも２つ取り付けられることを特徴とする。
【発明の効果】
【００１７】
流量センサが、配管を流れる流体の流量を検出し、パルス出力部が、この流量に応じたパルス数を有するパルス信号を生成し、パルス診断部が、パルス出力部の出力すべきパルス数と実際に出力したパルス数との比較を行い、その比較結果に基づいてアラーム信号を出力するので、配管を流れる流体の流量と、この流量に応じたパルス数との不整合をアラームとして出力することができる流量計を実現することができる。
しがって、当該流量計を用いた充填装置等は、流量計が出力するアラームに基づいて、流量計の誤動作に起因する誤充填の恐れを低減することができる。
【図面の簡単な説明】
【００１８】
【図１】本発明の一実施例が、充填装置と共に用いられる構成を示した図である。
【図２】図１で示される流量計が、出力すべきパルス数よりも少ないパルスを出力した場合のタイムチャート例である。
【図３】図１で示される流量計が、出力すべきパルス数よりも多いパルスを出力したタイムチャート例である。
【図４】従来の装置が、充填装置と共に用いられる構成例を示した図である。
【図５】パルス発生器およびパルス遮断回路が出力するパルスのタイムチャート例である。
【発明を実施するための形態】
【００１９】
図１は本発明の一実施例が、充填装置と共に用いられる構成を示した図である。
以下本発明を、図面を用いて詳細に説明する。図４と同一のものは同一符号を付し、説明を省略する。
流量計７は、流量センサ３１と、流量演算器７１と、パルス出力部３３と、パルス計測回路７２とを含む。
流量演算器７１は、流量センサ３１が出力する流量信号を入力し、流量計７が出力すべきパルス数期待値を算出し、出力する。また、流量演算器７１は、内部にパルス数比較器７１１を備え、パルス数期待値をパルス数比較器７１１に格納する。
【００２０】
（従来装置に新たに追加されたのは、パルス数比較器７１１と、パルス計測回路７２であり、これらによりパルス診断部７３が形成される。パルス診断部７３は、パルス数期待値と、パルス遮断回路３３２が実際に出力したパルス数を比較し、その比較結果に基づいてアラームを出力する機能を有する。また、付随回路７４は、パルス遮断回路３３２とパルス計測回路７２の間に接続された任意の回路を指す。）
【００２１】
パルス計測回路７２は、パルス遮断回路３３２から付随回路７４を介して出力されるパルス信号を通過させ出力するとともに、パルス信号のパルス数をカウントし、カウント数を出力する。
流量演算器７１のパルス数比較器７１１は、自身に格納しているパルス数期待値と、パルス計測回路７２が出力するカウント数を入力して両者を比較し、比較結果に基づいてアラーム信号を出力する。
【００２２】
制御装置８は、パルス計測回路７２がパルス出力端３４を介して出力するパルスのパルス数を積算し、この積算値が定められた値に達しているか否かによって、達していなければ開閉バルブ５を開く制御信号を、達していれば閉める制御信号を出力する。
制御装置８は、また、流量計７から出力されるアラーム信号に基づいて、必要に応じてエラー処理を行う。
【００２３】
以下本発明の動作を、図面を用いて詳細に説明する。
図１において、制御装置８が、開閉バルブ５の弁を開けるよう制御信号を出力し、開閉バルブ５を開く。タンク１は、配管２への流体の供給を開始し、充填容器６に流体が流入され始める。流量センサ３１は、配管２を流れる流体の流量を検出して流量信号を出力する。
【００２４】
流量演算器７１は、流量センサ３１が出力する流量信号に基づいて、定められた時間（例えば１００ｍｓ）ごとに、流量計７が出力すべきパルス数であるパルス数期待値（例えば６）を算出する。流量演算器７１は、このパルス数期待値を自身のパルス数比較器７１１に格納するとともに、パルス発生器３３１に出力し、さらに、パルス遮断回路３３２に回路開放信号を出力する。
パルス遮断回路３３２は、流量演算器７１が出力する回路開放信号を受信すると、回路を開放し、パルス発生器３３１から出力されるパルス信号を通過させる。
パルス発生器３３１は、流量演算器７１が出力するパルス数期待値を入力すると、この入力時点からパルス数期待値分（たとえば６個）のパルスを出力したタイミングで、パルス送出済信号を出力する。
これら、パルス発生器３３１とパルス遮断回路３３２から出力されるタイムチャートは従来例の図５と同様である。
流量演算器７１は、パルス発生器３３１が出力するパルス送出済信号を受信すると、パルス遮断回路３３２に回路遮断信号を出力する。
パルス遮断回路３３２は、流量演算器７１が出力する回路遮断信号を受信すると、回路を遮断し、パルス発生器３３１から出力されるパルスの通過を停止する。
パルス計測回路７２は、パルス遮断回路３３２から付随回路７４を介して出力されるパルス信号を通過させるとともに、パルス信号のパルス数を計測し、計測結果を出力する。
パルス遮断回路３３２からの出力されるパルス信号は、パルス発生器３３１やパルス遮断回路３３２や付随回路７４の故障、またはそれら周辺経路におけるノイズのために、図２のようにパルス数過少（例えば、見かけ上パルス数５個）となることや、図３のようにパルス数が過多（例えば、見かけ上パルス数７個）となることがある。
流量演算器７１のパルス数比較器７１１は、自身に格納されているパルス数期待値と、パルス遮断回路７２からのパルス数の計測結果とを比較し、その結果に基づき、アラーム信号を出力する。
流量演算器７１、パルス発生器３３１、パルス遮断回路３３２、パルス計測回路７２は、このような一連の動作を、定められた時間（例えば１００ｍｓ）ごとに繰り返す。
【００２５】
制御装置８は、パルス出力端３４から出力されるパルス数を計測し、このパルス数の積算値が、定められた値に達しているか否かによって、達していなければ開閉バルブ５を開く制御信号を、達していれば開閉バルブ５を閉める制御信号を出力する。
制御装置８によって開閉バルブ５を閉めることで、充填容器への流体の流入が停止し、充填が終了する。
制御装置８は、また、流量計７から出力されるアラーム信号に基づいて、必要に応じてエラー処理を行う。
【００２６】
流量センサ３１が、配管２を流れる流体の流量を検出し、パルス出力部３３が、この流量に応じたパルス数を有するパルス信号を生成し、パルス計測回路７２が、パルス出力部３３が実際に出力したパルス信号を入力してパルス数をカウントし、パルス数比較器が、パルス出力部３３が出力すべきパルス数と、パルス計測回路７２がカウントしたパルス数との比較を行い、比較の結果に基づいてアラーム信号を出力するするので、配管２を流れる流体の流量と、この流量に応じたパルス数との不整合をアラームとして出力することができる流量計７を実現することができる。
しがって、当該流量計７を用いた充填装置等は、流量計７が出力するアラームに基づいて、流量計７の誤動作に起因する誤充填の可能性を低減することができる。
【００２７】
なお、パルス遮断回路３３２からパルス出力端３４までの経路に複数のパルス計測回路７２を配置してもよい。この場合、パルス数がどの経路において一致しないかを特定可能となる。
【００２８】
また、アラーム信号に、単にパルス数比較器７１１による比較の不一致情報のみではなく、パルス数期待値とパルス数の計測結果との大小比較結果情報を付加することで、制御装置８は、充填容器６への流体の超過充填、充填不足等の判定も可能である。
【符号の説明】
【００２９】
２  配管
３１  流量センサ
３３  パルス出力部
３４  パルス出力端
５  開閉バルブ
６  充填容器
７１  流量演算器
７１１  パルス数比較器
７２  パルス計測回路
７３  パルス診断部
８  制御装置
【図１】
2011169776.tif 000003
【図２】
2011169776.tif 000004
【図３】
2011169776.tif 000005
【図４】
2011169776.tif 000006
【図５】
2011169776.tif 000007